(57)【要約】【課題】  中間転写体上に予備吐出されたインクをクリーニングすることで生じるクリーニングユニットの磨耗や中間転写体の劣化を招かないようにする。【解決手段】  画像データに基づいてインクジェットヘッドから中間転写体に対してインクを吐出して画像を形成すると共に、予備吐出データに基づいてインクジェットヘッドから中間転写体に対してインクを予備吐出して予備吐出パターンを形成する。そして、この予備吐出パターンを画像と共に記録媒体に転写する。これにより、中間転写体上に予備吐出されたインクをクリーニングすることが不要となる。【選択図】  図４
2011116059.tif 000002
【特許請求の範囲】
【請求項１】
画像データに基づいてインクジェットヘッドから中間転写体に対してインクを吐出して中間転写体上に画像を形成する工程と、
予備吐出データに基づいて前記インクジェットヘッドから前記中間転写体に対してインクを予備吐出して前記中間転写体上に予備吐出パターンを形成する工程と、
前記中間転写体上に形成された画像および予備吐出パターンを記録媒体に転写する工程
を有することを特徴とする画像形成方法。
【請求項２】
前記中間転写体上に画像を形成する前に、前記インク中の色材を凝集させる反応液を前記中間転写体に付与する工程を更に有し、
前記中間転写体上の画像および予備吐出パターンが形成される部分には、前記反応液が付与されることを特徴とする請求項１に記載の画像形成方法。
【請求項３】
インクを吐出するためのインクジェットヘッドと、
前記インク中の色材を凝集させる反応液を付与するための付与手段と、
前記インクジェットヘッドからインクを予備吐出させるための予備吐出データを格納したメモリと、
前記反応液が付与された中間転写体に向けて画像データに基づき前記インクジェットヘッドからインクを吐出して前記中間転写体上に画像を形成し、且つ、前記反応液が付与された中間転写体に向けて前記予備吐出データに基づいて前記インクジェットヘッドからインクを予備吐出して前記中間転写体上に予備吐出パターンを形成するために、前記インクジェットヘッドと付与手段を制御するための制御手段と、
前記中間転写体上に形成された前記画像および前記予備吐出パターンを記録媒体に転写するための転写部と、
を具えることを特徴とする画像形成装置。
【発明の詳細な説明】
【技術分野】
【０００１】
本発明は、インクジェット方式によって中間転写体に画像を形成し、その画像を記録媒体に転写することで、記録媒体上に画像を記録する画像形成方法および画像形成装置に関するものである。
【背景技術】
【０００２】
コンシューマ用として広く用いられているインクジェット記録装置は、産業用にも利用されてきており、さらにより広い分野で応用されることが期待されている。その一つとして、印刷分野への応用がある。インクジェット記録方式を用いると、オフセット印刷などの従来の印刷方式では必要な版が不要となる。さらにリードタイムが不要なため即時に所望の印刷物を得ることができる。これらの特徴が、時代のニーズである多品種、小ロット、短納期に対して好適な技術として注目される由縁である。
【０００３】
インクジェット記録方式では、長時間にわたってインクを吐出させないと、吐出口からインク中の水および／または溶媒が蒸発し、吐出口付近のインクが増粘してインク吐出が不安定になる場合がある。このため、装置が長時間停止している場合には、インクジェットヘッドの吐出口面をキャップで密閉する等の乾燥抑制対策が施される。
【０００４】
一方、印字動作中は常時吐出口が大気に曝されているため、インク吐出が行われていない吐出口付近のインクが増粘してインク吐出が不安定になる可能性がある。このため、印字を行う直前あるいは連続印字中の所定時間毎に全てのインク吐出口からインクを吐出させる動作（いわゆる予備吐出動作）を行うことで、インク吐出の安定的維持を実現している。
【０００５】
このような印字動作中の予備吐出を、中間転写体を用いたインクジェット記録方式に適用した例がいくつか提案されている。特許文献１には、記録媒体が転写領域に存在していない間にヘッドから中間転写体に向けてインクを予備吐出し、中間転写体上に予備吐出されたインクをクリーニングブレードによって清掃することが開示されている。この特許文献１に記載の技術によれば、記録媒体を汚さずに予備吐出が可能となる。
【先行技術文献】
【特許文献】
【０００６】
【特許文献１】特開２００５−１４４７３３号公報
【発明の概要】
【発明が解決しようとする課題】
【０００７】
しかし、特許文献１に記載の構成では、中間転写媒体上に予備吐出されたインクを常にクリーニングブレードで清掃しなければならない、クリーニングブレードが磨耗しやすい。一方、クリーニングブレードが当接する中間転写媒体側も磨耗しやすくなり、中間転写媒体の寿命を縮めてしまうことも懸念される。更には、クリーニングブレードの交換やクリーニングブレードによって回収した回収インクの廃棄等の、クリーニングユニット自体のメンテナンス頻度も増加するため、印字物の生産性を低下させる原因ともなり得る。
【０００８】
本発明は、上記課題を解決することを目的とする。
【課題を解決するための手段】
【０００９】
上記課題を解決するための本発明の画像形成方法、画像データに基づいてインクジェットヘッドから中間転写体に対してインクを吐出して前記中間転写体上に画像を形成する工程と、予備吐出データに基づいて前記インクジェットヘッドから前記中間転写体に対してインクを予備吐出して前記中間転写体上に予備吐出パターンを形成する工程と、前記中間転写体上に形成された画像および予備吐出パターンを記録媒体に転写する工程と、を有することを特徴とする。
【発明の効果】
【００１０】
本発明によれば、中間転写体に予備吐出されたインクを記録媒体に転写するため、中間転写体上に予備吐出されたインクをクリーニングすることが不要となる。そのため、中間転写体上に予備吐出されたインクをクリーニングすることに起因するクリーニングユニットの磨耗や中間転写体の劣化を防止できる。
【図面の簡単な説明】
【００１１】
【図１】本発明で適用可能な画像形成装置の概略構成を示す模式図である。
【図２】図１の画像形成装置に制御系の一例を示すブロック図である。
【図３】画像形成プロセスを示すフローチャートである。
【図４】予備吐出パターンと画像との位置関係の一例を示す模式図である。
【図５】予備吐出パターンと画像との位置関係の別例を示す模式図である。
【発明を実施するための形態】
【００１２】
以下に、本発明の実施形態について説明する。なお、以下の説明において、「部」および「％」とあるのは、特に断りのない限り質量基準である。
【００１３】
図１は本発明の一実施形態に係る画像形成装置の概略構成を示す模式図である。図１において、中間転写体は搬送用の中間転写ベルト１と表面層２により構成されている。符号１は、中間転写ベルト搬送用ローラ１０によって矢印Ｆ方向に搬送される中間転写ベルト１を示し、符号２は反応液とインクが付与される表面層２を示す。なお、本発明で利用できる中間転写体はベルト形状のものに限られるものではなく、例えば、ドラム形状のものを用いてもよい。
【００１４】
表面層２の材料としては、金属、樹脂、ゴム、セラミックなどの公知の材料が好適に用いられるが、例えば、撥水性基材の表面に親水化処理を施したものがより好適に用いられる。この場合の表面処理としては、コロナ処理、フレーム処理、活性エネルギー線の照射処理、プラズマ処理などが挙げられる。この際、親水化の効果を高めるために酸素などのガスを同時に用いてもよい。また、この撥水性基材としては、撥水ゴムの一形態であるシリコーンゴムやフッ素ゴム等が好適に用いられる。
【００１５】
符号３は、インク中の成分（例えば、色材）を凝集させるための反応液４を中間転写に塗布するための塗布ユニットである。この塗布ユニット３は、塗布ローラ群と塗布ローラに供給する反応液を収容した反応液収容部とで構成されている。この塗布ユニット３によって表面層２に反応液が付与される。反応液４が付与される領域は、画像データに基づきインクジェットヘッド５よりインクが吐出される画像形成予定領域および予備吐出データに基づきインクジェットヘッド５よりインクが予備吐出される予備吐出パターン形成予定領域を含んでいればよい。本実施形態では、塗布ローラによって反応液を塗布するため、反応液が塗布される領域の幅は一定となる。
【００１６】
なお、反応液の付与手段は、上述したような塗布ローラを用いる形態に限られるものではない。例えば、ワイヤーバーコート等の接触式塗布によるものや、スプレーコート、インクジェットヘッドによる液滴付与のような非接触塗布によるものなどを用いることができる。適応の範囲が限定されるが、スピンコートや引き上げ塗布、エアナイフによる塗布等を行うものであっても、特性的には問題なく使用できる。また、それらの塗布手段を適宜組み合わせて使用してもよい。例えば、インクジェットヘッドを用いて反応液を付与する形態の場合、画像形成予定領域や予備吐出パターン形成予定領域の位置に応じて、反応液の付与位置を変化させることも可能である。
【００１７】
符号５は、インクを吐出するためのインクジェットヘッドである。インクジェットヘッド５は、シアン（Ｃ）、マゼンタ（Ｍ）、イエロー（Ｙ）およびブラック（Ｂｋ）の４色のインクを夫々吐出するための吐出口群を備える。これら４色の吐出口群は、それぞれ、中間転写ベルトの搬送方向（転写体の回転方向）と交差する方向に沿って複数の吐出口が配列された吐出口列を有している。
【００１８】
塗布ユニット３によって反応液４が塗布された表面層２に対して、画像データに基づきインクジェットヘッド５からインクが吐出されて、表面層２上に画像が形成される。また、必要に応じて、予備吐出データに基づいてインクジェットヘッド５から４色のインクが予備吐出されて、これにより、表面層２上に予備吐出パターン部分が形成される。画像形成あるいは予備吐出のために表面層２に吐出されたインクが、表面層２に先に付与されている反応液４と接触すると、反応液中の凝集成分がインク中の色材を凝集させる反応（凝集反応）が瞬時に起こり、色材の流動性が低下する。これにより、中間転写体上でのインク画像の乱れが抑制される。
【００１９】
符号８は、上記のようにして表面層２上に形成された画像や予備吐出パターン部の余分な液体成分（水分、有機溶剤）を除去する目的で、画像等を乾燥させるための乾燥ユニットである。乾燥ユニット８としては、送風デバイス・加熱デバイス・減圧デバイス等の公知の乾燥促進デバイスを利用することができる。本実施形態では、乾燥ユニット８として送風デバイスを採用する。
【００２０】
乾燥ユニット８によって乾燥された画像や予備吐出パターン部は、中間転写ベルト搬送用ローラ１０と加圧ローラ７とのニップ部（転写部９）において、矢印Ｇ方向に搬送されている記録媒体６に転写される。記録媒体６としてはロール紙およびカット紙の何れも使用できる。その後、画像および予備吐出パターン部が転写された記録媒体を裁断することにより、画像と予備吐出パターン部を分離し、これにより、目的とする画像が記録された記録物（「印刷物」ともいう）を得ることができる。
【００２１】
なお、図１の画像形成装置によれば、中間転写体に形成された画像や予備吐出パターン部は記録媒体へほぼ完全転写されるため、中間転写体の表面層２には残存インクが殆ど存在しない。従って、転写後の残存インクを除去するためのクリーニング機構を設けずとも、複数の画像を連続記録することができる。しかし、ゴミ等のインク以外の要因で表面層２が汚れることもあるし、転写体の劣化等の原因で転写率が低下する場合もあるので、定期的に表面層２を清掃することが望ましい。従って、図１の画像形成装置に、クリーニングユニット（不図示）を追加してもよい。この場合、転写部９と塗布ユニット３との間にクリーニングユニットを配置すればよい。
【００２２】
図２は、図１の画像記録装置の制御系の概略を示すブロック図である。画像記録装置１００は、ホストコンピュータその他の形態を可とする画像データの供給源である画像データ供給装置１５０に接続されている。画像形成装置１００は、インターフェース１１７を介して、画像データ供給装置１５０から画像データや記録開始信号、制御コマンド等を受信する。
【００２３】
ＣＰＵ１０１は各部を制御するための主制御部である。メモリ１０２は、ＣＰＵ１０１の制御プログラムや予備吐出パターン部を形成するための予備吐出データを格納したＲＯＭのほか、各種データの一時保存や、画像データの処理、その他ワーク用に使用されるＲＡＭ等により構成される。
【００２４】
バスライン１２０は、上記ＣＰＵ１０１とメモリ１０２の他に、ヘッド駆動部１０４、転写体駆動部１０５、記録媒体搬送用ローラ駆動部１０６、塗布ユニット３および乾燥ユニット８に接続されている。このバスライン１２０を介してＣＰＵ１０１の制御信号が各部に伝達され、各部はこの制御信号に従って駆動等が制御される。
【００２５】
ヘッド駆動部１０４は、画像データや予備吐出データに基づいてインクジェットヘッド５からインクを吐出させるために、インクジェットヘッドを駆動する。転写体駆動部１０５は、中間転写ベルト１を回転搬送させるために、中間転写ベルト搬送用ローラ１０を駆動する。記録媒体搬送用ローラ駆動部１０６は、加圧ローラ７を含む複数の記録媒体搬送用ローラを駆動する。塗布ユニット３は、ＣＰＵ１０１からの制御信号に従って塗布ローラ群を駆動して、中間転写ベルト１の表面層２に反応液を塗布する。また、乾燥ユニット８は、ＣＰＵ１０１からの制御信号に従って送風量の調整等を行う。更に、ＣＰＵの制御対象である各部には状態検出用センサが配設されており、そのセンサにより検出された検出信号を、バスライン１２０を介してＣＰＵ１０１に伝達することができる。
【００２６】
図３は、図１および図２の画像形成装置を用いて行われる画像形成のプロセスを示す一フローチャートである。画像データ供給装置１５０から印刷開始命令が画像形成装置１００に入力されると、まず、中間転写ベルト搬送用ローラ１０が駆動されて中間転写ベルト１が搬送される（Ｓ１）。次に、塗布ユニット３より中間転写ベルト１の表面層２に反応液が塗布される（Ｓ２）。次に、必要に応じて、メモリ１０２から読み出された予備吐出データに基づいてインクジェットヘッド５が駆動され、ＣＭＹＢｋの４色のインクが予備吐出される。これにより、表面層２上にＣＭＹＢｋの予備吐出パターン部が形成される。次いで、画像データ供給装置１５０から供給された画像データに基づいてインクジェットヘッド５が駆動され、表面層２上にインクの画像が形成される（Ｓ３）。その後、中間転写ベルト１に形成された予備吐出パターン部および画像は乾燥ユニット８によって乾燥される（Ｓ４）。乾燥ユニット８によって乾燥された予備吐出パターン部および画像は、転写部９において記録媒体６に転写される（Ｓ５）。その後、次のページに記録すべき画像があるか否かに基づいて印刷終了か否かを判定する（Ｓ６）。Ｓ６において、印刷終了でないと判定されればＳ２へ戻り、上述した処理を繰り返し、一方、印刷終了と判定されれば一連の画像形成プロセスを終了し、装置はスタンバイ状態に入る。
【００２７】
ここで、予備吐出のタイミング並びにパターンについて説明する。図３のＳ３における予備吐出は、インクの特性、印刷速度、画像のサイズと中間転写体のサイズとの関係等々を考慮して最適なタイミングで行えばよい。例えば、図４に示されるように、１枚の記録媒体（カット紙）６の搬送方向Ｇの先端側に予備吐出パターン部１７が転写されるように、１枚の記録媒体に転写すべき画像を中間転写ベルト１上に形成する前に中間転写ベルトに対して予備吐出を行うようにしてもよい。
【００２８】
以下、図４を用いて予備タイミング並びにパターンについては説明する。図４は、１枚の記録媒体に４ページ部の画像を転写する場合の、予備吐出パターン部と画像との転写体並びに記録媒体上での位置関係を示す模式図である。
【００２９】
まず、図４（Ａ）に示されるように、１枚目の記録媒体６（ｉ）に転写すべき予備吐出パターン部１７ａが中間転写ベルト１上に形成され、次に、１枚目の記録媒体６（ｉ）に転写すべき１〜４ページ目の画像１８ａ〜１８ｄが中間転写ベルト１上に形成される。次いで、２枚目の記録媒体６（ｉｉ）に転写すべき予備吐出パターン部１７ｂが中間転写ベルト１上に形成され、次いで、２枚目の記録媒体６（ｉｉ）に転写すべき５〜８ページ目の画像１８ｅ〜１８ｈが中間転写ベルト１上に形成される。
【００３０】
その後、図４（Ｂ）に示されるように、予備吐出パターン部１７ａおよび４ページ分の画像１８ａ〜１８ｄは記録媒体６（ｉ）に転写され、予備吐出パターン部１７ｂおよび４ページ分の画像１８ｅ〜１８ｈは記録媒体６（ｉｉ）に転写される。その後、図４（Ｂ）に示される１２本の点線（Ｘ１〜Ｘ８、Ｙ１〜Ｙ４）に沿って記録媒体６が裁断され、これにより、画像１８ａ〜１８ｈが記録された８つの記録物が得られる。
【００３１】
なお、点線に沿って裁断するために、この例では、不図示の裁断用の罫線を形成するようにしている。この裁断用の罫線は、予備吐出パターン部（１７ａ、１７ｂ）および画像（１８ａ〜１８ｈ）と共に中間転写ベルトに形成され、予備吐出パターン部（１７ａ、１７ｂ）および画像（１８ａ〜１８ｈ）と共に記録媒体に転写される。裁断用の罫線を形成するのに使用されるインクは何色のインクでもよく、裁断用の罫線を読み取るためのセンサの構成によって何色のインクを使用するかを決定すればよい。また、図４（Ｂ）から明らかなように、この例の記録物の４辺には余白が存在していないが、余白部を設けたい場合には、画像のサイズを小さくするか、裁断位置を変えればよい。
【００３２】
上述した予備吐出パターン部（１７ａ、１７ｂ）は、図４（Ａ）に示されるように、インクジェットヘッドの全ノズルから１発以上のインクが予備吐出されてなるＣＭＹＫの４色パターンとすることが好適である。特に、各ノズルからの予備吐出回数を１０発以上とすることで、吐出口付近の増粘インクをほぼ完全に排出しきってしまうことが望ましい。ただし、本発明で適用可能な予備吐出パターンはこれに限られるものではない。例えば、最初の予備吐出パターン部１７ａはＣの１００％べたパターンで、次の予備吐出パターン部１７ｂはＭの１００％べたパターンという具合に、予備吐出パターン部を構成するインク色を順次変えていく形態であってもよい。
【００３３】
図４の例では、１枚の記録媒体毎に予備吐出を行っていたが、複数枚の記録媒体毎に予備吐出を行うようにしてもよい。図５は、１枚の記録媒体に１ページ部の画像を転写する場合の、予備吐出パターン部と画像との転写体並びに記録媒体上での位置関係を示す模式図である。この図５は、２枚の記録媒体毎に予備吐出が行われる場合を示している。
【００３４】
まず、図５（Ａ）に示されるように、１枚目の記録媒体６（ｉ）に転写すべき予備吐出パターン部１７ａが中間転写ベルト１上に形成された後に、１枚目の記録媒体６（ｉ）に転写すべき１ページ目の画像１８ａが中間転写ベルト１上に形成される。次いで、２枚目の記録媒体６（ｉｉ）には転写される２ページ目の画像１８ｂが中間転写ベルト１上に形成される。次いで、３枚目の記録媒体６（ｉｉｉ）に転写すべき予備吐出パターン部１７ｂが中間転写ベルト１上に形成された後に、３枚目の記録媒体６（ｉｉｉ）に転写すべき３ページ目の画像１８ｃが中間転写ベルト１上に形成される。最後に、４枚目の記録媒体６（ｉｖ）には転写される４ページ目の画像１８ｄが中間転写ベルト１上に形成される。
【００３５】
その後、図５（Ｂ）に示されるように、予備吐出パターン部（１７ａ、１７ｂ）および画像１８ａ〜１８ｄは記録媒体６（ｉ）〜（ｉｖ）に転写される。その後、１０本の点線（Ｘ１〜Ｘ８、Ｙ１〜Ｙ２）に沿って記録媒体６が裁断され、これにより、画像１８ａ〜１８ｄが記録された４つの記録物が得られる。なお、図５（Ｂ）から明らかなように、この例の記録物の４辺には余白が存在しているが、余白部がない記録物を得たい場合には、画像のサイズを大きくするか、裁断位置を変えればよい。
【００３６】
以上の説明した実施形態によれば、中間転写体に予備吐出されたインクも画像と共に記録媒体に転写されるため、中間転写体上に予備吐出されたインクをクリーニングすることが不要となる。そのため、予備吐出されたインクのクリーニングに起因するクリーニングユニットの磨耗や中間転写体の劣化を防止できる。更には、クリーニングユニットの交換やクリーニングユニットによって回収した回収インクの廃棄等の、クリーニングユニット自体のメンテナンス頻度も低減できる。
【００３７】
（反応液）
本発明で適用可能な反応液４は、画像形成に使用するインクの種類によって適宜に選択される。例えば、染料インクに対しては高分子凝集剤を用いることが有効であり、微粒子が分散されてなる顔料インクに対しては金属イオンを使用することが有効である。さらに、染料インクに対して、画像固定成分として金属イオンを高分子凝集剤と組み合わせて用いる場合には、インク中に、染料と同等色の顔料を混合させるか、色目に影響の少ない、白色もしくは透明色の微粒子を混合させるとよい。
【００３８】
反応液として使用できる高分子凝集剤としては、例えば、陽イオン性高分子凝集剤、陰イオン性高分子凝集剤、非イオン性高分子凝集剤、両性高分子凝集剤等が挙げられる。また、金属イオンとしては、例えば、Ｃａ２＋、Ｃｕ２＋、Ｎｉ２＋、Ｍｇ２＋およびＺｎ２＋等の二価の金属イオンや、Ｆｅ３＋およびＡｌ３＋等の三価の金属イオンが挙げられる。そして、これらの金属イオンを含有する液体を塗布する場合には、金属塩水溶液として塗布することが望ましい。金属塩の陰イオンとしては、Ｃｌ−、ＮＯ３−、ＳＯ４２−、Ｉ−、Ｂｒ−、ＣｌＯ３−、ＲＣＯＯ−（Ｒはアルキル基）等が挙げられる。また、使用するインクと逆性を持つ材料は反応液として用いることができる。例えばインクがアニオン性もしくはアルカリ性であれば、その逆性であるカチオン性もしくは酸性材料が反応液として使用できる。
【００３９】
また、最終的に形成された画像の堅牢性を向上させるために、水溶性樹脂や水溶性架橋剤を添加することもできる。用いられる材料としては反応液成分と共存できるものであれば制限は無い。水溶性樹脂としてはＰＶＡやＰＶＰ等を添加することが好適に用いられる。水溶性架橋剤としては、反応性の遅いオキサゾリンやカルボジイミドが反応液安定性の面で好適に用いられる。
【００４０】
（インク）
本発明で適用可能なインクは特に制限されるものではないが、一般的に染料や、顔料を用いた水系インクが好適に用いられる。特に、水系顔料インクは反応液に金属塩を用いた場合に好適である。
【００４１】
染料としては限定を受けず、一般的に使われる染料であれば問題なく用いることができる。例えば、Ｃ．Ｉダイレクトブルー６、８、２２、３４、７０、７１、７６、７８、８６、１４２、１９９、Ｃ．Ｉアシッドブルー９、２２、４０、５９、９３、１０２、１０４、１１７、１２０、１６７、２２９、Ｃ．Ｉダイレクトレッド１、４、１７、２８、８３、２２７、Ｃ．Ｉアシッドレッド１、４、８、１３、１４、１５、１８、２１、２６、３５、３７、２４９、２５７、２８９、Ｃ．Ｉダイレクトイエロー１２、２４、２６、８６、９８、１３２、１４２、Ｃ．Ｉアシッドイエロー１、３、４、７、１１、１２、１３、１４、１９、２３、２５、３４、４４、７１、Ｃ．Ｉフードブラック１、２、Ｃ．Ｉアシッドブラック２、７、２４、２６、３１、５２、１１２、１１８等が挙げられる。
【００４２】
顔料としても限定を受けず、一般的に使われる顔料であれば問題なく用いることができる。例えば、Ｃ．Ｉピグメントブルー１、２、３、１５：３、１６、２２、Ｃ．Ｉピグメントレッド５、７、１２、４８（Ｃａ）、４８（Ｍｎ）、５７（Ｃａ）、１１２、１２２、Ｃ．Ｉピグメントイエロー１、２、３、１３、１６、８３、カーボンブラックＮｏ２３００、９００、３３、４０、５２、ＭＡ７、８、ＭＣＦ８８（三菱化成製）、ＲＡＶＥＮ１２５５（コロンビア製）、ＲＥＧＡＬ３３０Ｒ、６６０Ｒ、ＭＯＧＵＬ（キャボット製）、Ｃｏｌｏｒ  Ｂｌａｃｋ  ＦＷ１、ＦＷ１８、Ｓ１７０、Ｓ１５０、Ｐｒｉｎｔｅｘ３５（デグッサ製）等が挙げられる。
【００４３】
これらの顔料は、形態としての限定を受けず、例えば、自己分散タイプ、樹脂分散タイプ、マイクロカプセルタイプ等のものをいずれも使用することが可能である。その際に使用する顔料の分散剤としては、水溶性で、重量平均分子量が１，０００〜１５，０００程度の分散樹脂が好適に使用できる。具体的には、例えば、スチレンおよびその誘導体、ビニルナフタレンおよびその誘導体、α，β−エチレン性不飽和カルボン酸の脂肪族アルコールエステル、アクリル酸およびその誘導体、マレイン酸およびその誘導体、イタコン酸およびその誘導体、フマール酸およびその誘導体からなるブロック共重合体あるいはランダム共重合体、また、これらの塩等が挙げられる。
【００４４】
また、最終的に形成された画像の堅牢性を向上させるために、水溶性樹脂や水溶性架橋剤を添加することもできる。用いられる材料としてはインク成分と共存できるものであれば制限は無い。水溶性樹脂としては上記した分散樹脂等をさらに添加することが好適に用いられる。水溶性架橋剤としては、反応性の遅いオキサゾリンやカルボジイミドがインク安定性の面で好適に用いられる。
【００４５】
インク中の有機溶剤量はインク吐出性や乾燥性を決めるファクターとなる。記録媒体６に転写するときのインクは、ほぼ色材と高沸点有機溶剤だけとなるので、その最適値に設計する。使用する有機溶剤は高沸点で蒸気圧の低い水溶性の材料が好ましい。例としてはポリエチレングリコール、ポリプロピレングリコール、エチレングリコール、プロピレングリコール、ブチレングリコール、トリエチレングリコール、チオジグリコール、ヘキシレングリコール、ジエチレングリコール、エチレングリコールモノメチルエーテル、ジエチレングリコールモノメチルエーテル、グリセリン等である。また、粘度、表面張力等を調整する成分としてエチルアルコールやイソプロピルアルコール等のアルコール類を添加することもできる。
【００４６】
インクを構成する成分の配合比についても限定を受けることなく、選択したインクジェット記録方式やヘッドの吐出力、ノズル径などから吐出可能な範囲、適宜に調製することが可能である。組成の一例は色材０．１〜１０％、樹脂０．１〜１０％、溶剤５〜４０％、界面活性剤０．１〜５％であり、残りは純水である。
【００４７】
（実施例１）
中間転写体表面層基材として、０．４ｍｍのＰＥＴフィルム表面に、ゴム硬度４０°のシリコーンゴム（信越化学製  ＫＥ１２）を０．３ｍｍの厚さでコーティングした材料を用意した。
【００４８】
中間転写体表面層基材の表面に平行平板型大気圧プラズマ処理装置（積水化学製：ＡＰＴ−２０３）を用いて親液化処理を行い、次いで３％のＰＶＡ水溶液（クラレ製：４０３）をロールコーターで全面に塗布し、その後、ＰＶＡ水溶液を乾燥させた。
【００４９】
次に、この表面にエキシマレーザーをスポット照射し、親液部としたい部分のＰＶＡ層を除去した。本実施例ではピッチ２０μｍ、直径１０μｍの円を規則的にパターニングした。
【００５０】
このようなパターニングがされた表面に対して、再び、平行平板型プラズマ処理装置を用いて下記条件で表面改質を行った。
（表面改質条件）
使用ガス；流量：ａｉｒ；１０００ｃｃ／ｍｉｎ
Ｎ２        ；６０００ｃｃ／ｍｉｎ
入力電圧：２３０Ｖ
周波数：１０ｋＨｚ
処理速度：２００ｍｍ／ｍｉｎ
【００５１】
次いで、上記表面改質処理が行われた表面を界面活性剤（日本ユニカー製  ｓｉｌｗｅｔ  Ｌ７７）５％水溶液にて洗浄した。この時、水溶性皮膜であるＰＶＡ層は溶解除去された。
【００５２】
こうして得られた中間転写体表面層基材の表面は、エキシマレーザーを当てた部分のみが親液部となっており、親液部／撥液部のパターンが形成された表面を有する中間転写体表面層基材が得られた。そして、この表面層基材を中間転写体支持体としてのウレタン樹脂を不織布に含浸させたベルトに貼り付け、中間転写ベルトとした。
【００５３】
次いで、ロールコーターを用いて中間転写ベルト上に下記組成の反応液を塗布した。その後、反応液が塗布されている中間転写ベルト上に、予備吐出データに基づいてインクジェットヘッド（ノズル配列密度１２００ｄｐｉ、吐出量４．８ｐｌ、駆動周波数１２ｋＨｚ）から下記組成の４色のインク（ＣＭＹＫ）を予備吐出して予備吐出パターン部を形成し、次いで、画像データに基づいてインクジェットヘッドからインクを吐出してインク画像を形成した。
【００５４】
この際、予備吐出パターン部およびインク画像が中間転写ベルト上に形成された時点で、ビーディングやブリーディング（異色インクの混色）は起こらなかった。また、このインクジェットヘッドから吐出されたインクの着弾径は約４０μｍであった。
【００５５】
（反応液組成）
ＣａＣｌ２・２Ｈ２Ｏ：１０％
界面活性剤（川研ファインケミカル製  アセチレノールＥＨ）：１％
ジエチレングリコール：３０％
純水：５９％
（インク組成）
下記の各顔料：                                        ３部
ブラック：カーボンブラック（三菱化学製：ＭＣＦ８８）
シアン  ：ビグメントブルー１５
マゼンタ：ピグメントレッド７
イエロー：ピグメントイエロー７４
スチレン−アクリル酸−アクリル酸エチル共重合体：      １部
（酸価２４０、重量平均分子量５０００）
グリセリン：                                        １０部
エチレングリコール：                                  ５部
界面活性剤：                                          １部
（川研ファインケミカル製：アセチレノールＥＨ）
イオン交換水：                                      ８０部
【００５６】
その後、中間転写ベルト上の予備吐出パターン部およびインク画像の水分を除去した後、これら予備吐出パターン部およびインク画像を記録媒体（日本製紙製  オーロラコート  連量４０．５）に転写した。この結果、予備吐出パターン部およびインク画像が記録媒体に転写され、高品位なインク画像が記録された記録媒体が得られた。また、転写後の中間転写体表面には残存インクが殆どなく、クリーニングせずに次の画像形成を行っても、残存インクが次のインク画像の画質に影響を与えることはなかった。本実施例によれば、予備吐出されたインクは殆ど全て記録媒体に転写されるので、クリーニングレスを実現できたり、あるいは、クリーニングユニットを設ける形態であっても、クリーニングブレードに殆ど負荷をかけずに済む。そのため、中間転写体に吐出されたインクをクリーニングすることで生じるクリーニングブレードの磨耗や中間転写媒体の磨耗を抑制できる。
【００５７】
（実施例２）
図１のインクジェット記録装置を利用して、４０ｍｍ×２１０ｍｍの大きさの中間転写体を中間転写ベルトに貼り付け、中間転写体上に３０ｍｍ×４０ｍｍの画像を４つ形成した。このときに用いた中間転写体、反応液、インク、記録媒体は実施例１と同じである。また、インクジェットヘッドとして、１．５インチ幅のラインヘッド（転写ベルトの搬送方向と直交する方向に複数のノズルが配列されてなるラインヘッド）を使用した。解像度は実施例１と同様にした。中間転写ベルトの周速は１００ｍｍ／秒とした。
【００５８】
中間転写体に塗布ユニット３で反応液を塗布した後、予備吐出データに従って中間転写体上にラインヘッドの各ノズルから１０発ずつ各色インクを予備吐出して、図４に示される予備吐出パターン部１７ａを形成した。続いて、画像データに従って中間転写体上にラインヘッドからインクを吐出して４ページ分の画像１８ａ〜１８ｄを形成した。これら予備吐出パターン部１７ａおよび４つの画像１８ａ〜１８ｄが転写部に到達するまで、予備吐出パターン部および４つの画像の水分はある程度除去される。その後、転写部にて予備吐出パターン部１７ａおよび画像１８ａ〜１８ｄを記録媒体６（ｉ）に転写した。
【００５９】
この結果、記録媒体上に転写された予備吐出パターンおよび画像は高品位であった。また、転写後の中間転写体表面には残存インクが殆ど見られなかった。その後、記録媒体を裁断して、３０ｍｍ×４０ｍｍの画像が記録された印刷物を４つ得ることができた。以上のように、中間転写体のクリーニングを行うこともなく、手を汚すこともなく、中間転写体上に予備吐出されたインクを回収することができた。
【符号の説明】
【００６０】
１  中間転写ベルト
２  表面層
３  塗布ユニット
４  反応液
５  インクジェットヘッド
６  記録媒体
７  加圧ローラ
８  乾燥ユニット
９  転写部
１０  中間転写ベルト搬送用ローラ
１７  予備吐出パターン部
【図１】
2011116059.tif 000003
【図２】
2011116059.tif 000004
【図３】
2011116059.tif 000005
【図４】
2011116059.tif 000006
【図５】
2011116059.tif 000007